(57)【要約】【課題】  本発明は集中暴雨等で水が浸入してくる時に、水に浸かると損傷する自動車や理容店の電動椅子等の機器が水に浸かるのを、該機器の外周部を防水可能に覆って、水の浸入を阻止することができる水害防止具を得るにある。【解決手段】  水に浸かると損傷する機器の設置部への水の浸入を防止することができるベース体と、このベース体の外周部に内部に水が浸入しないように上部を上方へ持ち上げられるように取付けられた、あるいは取付けることができる防水カバーとで水害防止具を構成している。【選択図】  図５
2010071029.tif 000002
【特許請求の範囲】
【請求項１】
水に浸かると損傷する機器の設置部への水の浸入を防止することができるベース体と、このベース体の外周部に内部に水が浸入しないように上部を上方へ持ち上げられるように取付けられた、あるいは取付けることができる防水カバーとからなることを特徴とする水害防止具。
【請求項２】
ベース体は上面に水に浸かると損傷する機器を載せることができる、床面に固定されたベース板であることを特徴とする請求項１記載の水害防止具。
【請求項３】
ベース体は床面に固定あるいは設置された水に浸かると損傷する機器の外周部の床面に、内部への水の浸入を防止できるように固定された枠状のベース板であることを特徴とする請求項１記載の水害防止具。
【請求項４】
防水カバーはベース体の外周部に内部に水が浸入しないように取付けられ、ベース体内への水に浸かると損傷する機器の出し入れが可能に折りたたまれてベース体の上面近傍に位置するように収納される筒状の防水カバー本体と、この防水カバー本体を水の浸入時に遊端部を上方に位置させる手段とからなることを特徴とする請求項１記載の水害防止具。
【請求項５】
防水カバーは袋状の防水カバー本体と、この防水カバー本体の開口端部に、水の浸入ができないように固定されたベース体の外周部に水の浸入ができないように位置させることができる枠状の取付け板と、この取付け板と前記ベース体とを水の浸入ができないように着脱可能に取付けることができる取付け手段とからなることを特徴とする請求項１記載の水害防止具。
【発明の詳細な説明】
【技術分野】
【０００１】
本発明は駐車場に置いた自動車や理容店で使用される電動椅子等の、集中豪雨等での水に浸かる水害を防止する水害防止具に関する。
【背景技術】
【０００２】
従来、集中豪雨で床下や床上に水が浸入すると、駐車場に置かれた自動車や理容店の電動椅子は水に浸かり、損傷して使用できなくなってしまい、損害が大きくなっている。
【特許文献１】特になし
【発明の開示】
【発明が解決しようとする課題】
【０００３】
本発明は以上のような不具合に鑑み、集中暴雨等で水が浸入してくる時に、水に浸かると損傷する自動車や理容店の電動椅子等の機器が水に浸かるのを、該機器の外周部を防水可能に覆って、水の浸入を阻止することができる水害防止具を提供することを目的としている。
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明は水に浸かると損傷する機器の設置部への水の浸入を防止することができるベース体と、このベース体の外周部に内部に水が浸入しないように上部を上方へ持ち上げられるように取付けられた、あるいは取付けることができる防水カバーとで水害防止具を構成している。
【発明の効果】
【０００６】
以上の説明から明らかなように、本発明にあっては次に列挙する効果が得られる。
【０００７】
（１）水に浸かると損傷する機器の設置部への水の浸入を防止することができるベース体と、このベース体の外周部に内部に水が浸入しないように上部を上方へ持ち上げられるように取付けられた、あるいは取付けることができる防水カバーとで構成されているので、集中豪雨等で水が浸入してくる時にベース体の外周部に取付けられた防水カバーで、ベース体上の水に浸かると損傷する機器を覆ったり、ベース体の外周部に防水カバーを水が浸入しないように取付けることにより、水に浸かると損傷する機器への水の浸入を確実に防止することができ、機器の損傷や使用できなくなるのを防止することができる。
したがって、浸入してきた水が引くと、周囲の清掃だけで機器の使用（営業） ができる。
【０００８】
（２）前記（１）により、水に浸かると損傷する機器を覆うことができる大きさでよいので、設置が容易であるとともに、安価に設置することができる。
【０００９】
（３）請求項２も前記（１）（２）と同様な効果が得られるとともに、ベース体の上面に水に浸かると損傷する機器を載せるので、ベース体を設置できるように床面を加工するだけでよく、より簡単に設置することができる。
【００１０】
（４）請求項３も前記（１）、（２）と同様な効果が得られるとともに、床面に固定状態で設置された、水に浸かると損傷する機器でも、簡単に設置することができる。
【００１１】
（５）請求項４も前記（１）、（２）と同様な効果が得られるとともに、ベース体内への出し入れが容易にできるので、駐車場で自動車が水に浸かるのを防止するのに最適に使用することができる。
【００１２】
（６）請求項５も前記（１）、（２）と同様な効果が得られるとともに、防水カバーの収納スペースのある所で使用できる。
【発明を実施するための最良の形態】
【００１３】
以下、図面に示す本発明を実施するための最良の形態により、本発明を詳細に説明する。
【００１４】
図１ないし図５に示す本発明を実施するための最良の第１の形態において、１は本発明の水害防止具で、この水害防止具１は水に浸かると損傷する理容店の電動椅子等の機器２を、上面を固定することができる上面への水の浸入を防止することができる材質で形成された床面３に固定することができるベース体４と、このベース体４の外周部に防水リング５を介して複数個のボルト６で取付けられる取付け板７で固定され、内部に水が浸入しないように上部を上方へ持ち上げることができる、前記ベース体４の外周部の床面に形成した防水カバー収納凹部８に収納される筒状の防水カバーと、前記防水カバー収納凹部８の開口部８ａを着脱可能に覆うカバー１０、１０、１０、１０とで構成されている。
なお、本実施の形態ではベース体４の外周部に防水カバー９の下端部を防水可能に接着剤等で固定してもよい。
【００１５】
前記防水カバー９は防水シートで形成された防水カバー本体１１と、この防水カバー本体１１の上端部寄りの部位に所定間隔で形成された紐通し孔１２に通された防水カバー本体１１の上部を閉じた状態で結ぶことができる防水カバー本体１１の遊端部を上方に位置させる手段としての紐１３とで構成されている。  
【００１６】
上記構成の水害防止具１は、通常時には防水カバー９がベース体４の外周部の床面に形成された防水カバー収納凹部８内に折りたたまれて収納され、該防水カバー収納凹部８の開口部８ａはカバー１０、１０、１０、１０で覆われた状態となっている。
このため、従来と同様にお客さんを電動椅子２に座らせて、理容を行なうことができる。
【００１７】
集中豪雨等で床上浸水になりそうな場合、カバー１０、１０、１０、１０を外し、防水カバー９を引き出し、該防水カバー９の上部寄りの部位に設けられた紐１３で防水カバー９の上部を縮めて結ぶことにより、紐１３の結び部近傍まで水位が上昇しなければ、防水カバー９内でベース体４上の電動椅子等の機器２が水に浸かるのを確実に防止することができる。
このため、浸入した水が引くと電動椅子等の機器２の外周部位の清掃等を行なうことで、電動椅子等の機器２を使用した営業を行なうことができる。
[発明を実施するための異なる形態]
【００１８】
次に、図６ないし図２１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図６ないし図８に示す本発明を実施するための第２の形態において、前記本発明を実施するための最良の第１の形態と主に異なる点は、床面に固定された電動椅子等の機器２の外周部の床面３に形成された枠状の溝１４内に、内部へ水が浸入しないように固定されたベース体４Ａとしての枠状のベース板１５と、このベース板１５に下端部を固定した折りたたみ収納可能な防水カバー９を用いた点で、このように構成した水害防止具１Ａにしても、前記本発明を実施するための最良の第１の形態と同様な作用効果が得られる。
【００２０】
図９ないし図１１に示す本発明を実施するための第３の形態において、前記本発明を実施するための最良の第１の形態と主に異なる点は、車庫１６の床面３にベース体４を固定した点で、このように構成した水害防止具１Ｂは、水に浸かると損傷する機器としての自動車１７を集中豪雨等での床上等の増水時に、自動車１７に水が浸入するのを阻止することができる。
なお、天井のある車庫の場合、防水カバー９の上部を結んだ紐１３を紐やワイヤーで天井に取付けることにより、防水カバー９の上部が揺れるのを効率よく阻止し、防水カバー９の上部から内部へ水が浸入するのを確実に阻止することができる。
【００２１】
図１２ないし図１４に示す本発明を実施するための第４の形態において、前記本発明を実施するための最良の第１の形態と主に異なる点は、底面を一体形成した筒状の防水カバー９Ａの底面９ａをベース体として使用するとともに、外周部を床面３に形成された防水カバー収納凹部８に収納できるようにした点で、このように構成した水害防止具１Ｃにしても、前記本発明を実施するための最良の第１の形態と同様な作用効果が得られる。
【００２２】
図１５ないし図１８に示す本発明を実施するための第５の形態において、前記本発明を実施するための最良の第１の形態と主に異なる点は、折りたたみ可能な袋状の防水カバー本体１１Ａと、この防水カバー本体１１Ａの開口端部を水の浸入ができないように固定された取付けリング１８とで構成した防水カバー９Ｂを用いるとともに、この防水カバー９Ｂを集中豪雨等の床上浸水となる場合に電動椅子２に防水カバー９Ｂをかぶせ、取付けリング１８を防水リング５を介して、ベース体４の外周部に複数本のビス１９で防水可能に取付けられるようにした点で、このように構成された水害防止具１Ｄにしても、前記本発明を実施するための最良の第１の形態と同様な作用効果が得られる。
【００２３】
なお、防水カバー９Ｂは開口部にフランジが形成された容器状のものや筒状部分を蛇腹状に形成するとともに、取付けリングを一体的に形成したものを使用してもよい。
また、防水カバー９Ｂの使用時の上面部位に、図１８に示すように外部からの水圧によって内部の圧力が一定以上になると、外部へ排出することができる逆止弁２０を取付け、防水カバー９Ｂの損傷を防止するようにしてもよい。
【００２４】
図１９ないし図２１に示す本発明を実施するための第６の形態において、前記本発明を実施するための最良の第１の形態と主に異なる点は、水の浸かると損傷する機器としての自動販売機２１を、床面３を介して支持するベース体４と、このベース体４の外周部に折りたたみ収納される筒状の防水カバー９の下端部を接着剤等で固定し、常時は自動販売機２１の下端部に防水カバー９が位置するようにした点で、このように構成した水害防止具１Ｅにしても、前記本発明を実施するための最良の第１の形態と同様な作用効果が得られる。
なお、防水カバー９の上端部には上方に位置させる手段としての吊り上げるための紐通し孔１２、１２、１２、１２が形成され、使用時には該紐通し孔１２、１２、１２、１２に紐１３、１３を自動販売機２１の上部を介して取付けることにより、防水カバー９内への水の浸入を阻止する。
この実施の形態では防水カバー９の上部に上方に位置させる手段としての浮き輪を取付けてもよい。
【産業上の利用可能性】
【００２５】
本発明は集中豪雨等で発生する床上等の水から、水に浸かると損傷する機器を守ることができる水害防止具を製造する産業で利用される。
【図面の簡単な説明】
【００２６】
【図１】本発明を実施するための最良の第１の形態の平面図。
【図２】図１の２−２線に沿う断面図。
【図３】本発明を実施するための最良の第１の形態のベース体と防水カバーの取付け状態の説明図。
【図４】本発明を実施するための最良の第１の形態の使用状態の説明図。
【図５】本発明を実施するための最良の第１の形態の使用状態の縦断面図。
【図６】本発明を実施するための第２の形態の平面図。
【図７】図６の７−７線に沿う断面図。
【図８】本発明を実施するための第２の形態の使用状態の説明図。
【図９】本発明を実施するための第３の形態の平面図。
【図１０】図９の１０−１０線に沿う断面図。
【図１１】本発明を実施するための第３の形態の使用状態の説明図。
【図１２】本発明を実施するための第４の形態の平面図。
【図１３】図１２の１３−１３線に沿う断面図。
【図１４】本発明を実施するための第４の形態の使用状態の説明図。
【図１５】本発明を実施するための第５の形態の使用状態の説明図。
【図１６】図１５の縦断面図。
【図１７】本発明を実施するための第５の形態の防水カバーの説明図。
【図１８】本発明を実施するための第５の形態の逆止弁を取付けたカバーの説明図。
【図１９】本発明を実施するための第６の形態の平面図。
【図２０】図１９の２０−２０線に沿う断面図。
【図２１】本発明を実施するための第６の形態の使用状態の説明図。
【符号の説明】
【００２７】
１、１Ａ、１Ｂ、１Ｃ、１Ｄ、１Ｅ：水害防止具、
２：水に浸かると損傷する機器、３：床面、
４：ベース体、                ５：防水リング、    
６：ボルト、                  ７：取付け板、
８：防水カバー収納凹部、      ９、９Ａ、９Ｂ：防水カバー、
１０：カバー、                １１、１１Ａ：カバー本体、
１２：紐通し孔、
１３：上方に位置させる手段としての紐、
１４：枠状の溝、              １５：ベース板、
１６：車庫、                  １７：自動車、
１８：取付けリング、          １９：ビス、
２０：逆止弁、                ２１：自動販売機。
【図１】
2010071029.tif 000003
【図２】
2010071029.tif 000004
【図３】
2010071029.tif 000005
【図４】
2010071029.tif 000006
【図５】
2010071029.tif 000007
【図６】
2010071029.tif 000008
【図７】
2010071029.tif 000009
【図８】
2010071029.tif 000010
【図９】
2010071029.tif 000011
【図１０】
2010071029.tif 000012
【図１１】
2010071029.tif 000013
【図１２】
2010071029.tif 000014
【図１３】
2010071029.tif 000015
【図１４】
2010071029.tif 000016
【図１５】
2010071029.tif 000017
【図１６】
2010071029.tif 000018
【図１７】
2010071029.tif 000019
【図１８】
2010071029.tif 000020
【図１９】
2010071029.tif 000021
【図２０】
2010071029.tif 000022
【図２１】
2010071029.tif 000023